(57)【要約】【課題】ジャケットの有無にかかわらず、携帯端末を安定して保持しながら充電可能にする。【解決手段】背面に充電端子のある携帯電話機の背面及び側面を脱着式ジャケット１０で覆った場合でも充電可能なように、充電器２０の端末収容部２２には、携帯電話機の収容時に携帯電話機に当接する第１及び第２姿勢保持用リブ２８，２９を突設し、脱着式ジャケット１０には、充電端子５を露出させる端子露出用開口１２と、第１及び第２姿勢保持用リブ２８，２９を回避するリブ回避用切欠１３，１５とを形成する。【選択図】図１
2014068475.tif 000002
【特許請求の範囲】
【請求項１】
背面に充電端子のある携帯端末と、
上記携帯端末の少なくとも背面及び側面を覆う脱着式ジャケットと、
上記携帯端末を保持する端末収容部及び該端末収容部に設けられて上記充電端子に当接して充電する接続端子を有する充電器とを備え、
上記端末収容部には、上記携帯端末の収容時に該携帯端末に当接する姿勢保持用リブが突設され、
上記脱着式ジャケットには、
上記充電端子を露出させる端子露出用開口と、
上記姿勢保持用リブを回避するリブ回避用切欠とが形成されている
ことを特徴とする充電システム。
【請求項２】
請求項１に記載の充電システムにおいて、
上記接続端子は、一端が上記携帯端末の収容時に該携帯端末に押し下げられる当接部を有する回動式レバーの他端に設けられ、該当接部が押し下げられるに伴って回動して上記充電端子に当接して通電するように構成されており、
上記ジャケットには、上記当接部を露出させる当接部露出用開口が形成されている
ことを特徴とする充電システム。
【請求項３】
携帯端末を保持する端末収容部と、
上記端末収容部に設けられ、上記携帯端末の充電端子に当接して充電する接続端子と、
上記端末収容部の底面及び該底面に連続する側面に形成され、上記携帯端末の収容時に該携帯端末に当接する姿勢保持用リブとを備え、
上記姿勢保持用リブは、上記携帯端末を覆うジャケットの厚さよりも高く、該ジャケットの有無にかかわらず、上記携帯端末を充電可能に構成されている
ことを特徴とする充電器。
【発明の詳細な説明】
【技術分野】
【０００１】
本発明は、携帯端末を充電するための充電器及びそれを含む充電システムに関するものである。
【背景技術】
【０００２】
従来より、充電器本体の上端に底面及び保持側面を有する収容凹部を形成し、収容凹部の底面に形成した端子用開口から先端が突出するように一対の充電器側充電端子を配置し、充電器本体に携帯電話機を保持した状態で、充電器側充電端子を携帯電話機の側面に設けた一対の電池側充電端子に当接させて電流を供給するように構成する携帯端末用充電器は知られている。
【先行技術文献】
【特許文献】
【０００３】
【特許文献１】特開２０１１−９１９２４号公報
【発明の概要】
【発明が解決しようとする課題】
【０００４】
しかしながら、従来の充電器では、装飾、保護等のための脱着式ジャケットで携帯端末を覆ったまま充電器にのせると、充電器上で安定せず、このため充電器側充電端子が十分に充電器側充電端子に接続されないという問題がある。
【０００５】
本発明は、かかる点に鑑みてなされたものであり、その目的とするところは、ジャケットの有無にかかわらず、携帯端末を安定して保持しながら充電可能にすることにある。
【課題を解決するための手段】
【０００６】
上記の目的を達成するために、この発明では、ジャケットがあってもなくても同じ位置に携帯端末を保持するようにした。
【０００７】
具体的には、第１の発明の充電システムは、
背面に充電端子のある携帯端末と、
上記携帯端末の少なくとも背面及び側面を覆う脱着式ジャケットと、
上記携帯端末を保持する端末収容部及び該端末収容部に設けられて上記充電端子に当接して充電する接続端子を有する充電器とを備えている。
【０００８】
そして、上記端末収容部には、上記携帯端末の収容時に該携帯端末に当接する姿勢保持用リブが突設され、
上記脱着式ジャケットには、
上記充電端子を露出させる端子露出用開口と、
上記姿勢保持用リブを回避するリブ回避用切欠とが形成されている。
【０００９】
上記の構成によると、脱着式ジャケットに端子露出用開口とリブ回避用切欠とを形成したので、ジャケットで携帯端末を覆っているときでも、携帯端末が直接姿勢保持用リブに当接して安定し、その状態で接続端子が露出した充電端子に当接する。このため、ジャケットで携帯端末を覆ったまま安定して充電を行うことができる。
【００１０】
第２の発明では、第１の発明に加え、
上記接続端子は、一端が上記携帯端末の収容時に該携帯端末に押し下げられる当接部を有する回動式レバーの他端に設けられ、該当接部が押し下げられるに伴って回動して上記充電端子に当接して通電するように構成されており、
上記ジャケットには、上記当接部を露出させる当接部露出用開口が形成されている。
【００１１】
上記の構成によると、ジャケットで携帯端末を覆っていても、覆っていないときと同様に姿勢保持用リブに携帯端末が保持されるので、当接部にも同様に当接する。このため、ジャケットで覆われた状態でも、覆われていないときと同の強さで接続端子が充電端子に押さえ付けられて充電が行われる。
【００１２】
第３の発明の充電器は、
携帯端末を保持する端末収容部と、
上記端末収容部に設けられ、上記携帯端末の充電端子に当接して充電する接続端子と、
上記端末収容部の底面及び該底面に連続する側面に形成され、上記携帯端末の収容時に該携帯端末に当接する姿勢保持用リブとを備え、
上記姿勢保持用リブは、上記携帯端末を覆うジャケットの厚さよりも高く、該ジャケットの有無にかかわらず、上記携帯端末を充電可能に構成されている。
【００１３】
上記の構成によると、ジャケットの厚さよりも姿勢保持用リブの高さを高くし、ジャケットの当接部分に開口を設けることで、ジャケットの有無にかかわらず、携帯端末を安定して保持しながら充電を行うことができる。
【発明の効果】
【００１４】
以上説明したように、本発明によれば、携帯端末の脱着式ジャケットに充電器の充電端子を露出させる端子露出用開口と、充電器の姿勢保持用リブを回避するようにリブ回避用切欠とを形成したことにより、ジャケットの有無にかかわらず、携帯端末を安定して保持しながら充電することができる。
【図面の簡単な説明】
【００１５】
【図１】脱着式ジャケットの端子露出用開口、リブ回避用切欠、及び充電器を拡大して示す斜視図である。
【図２】本発明の実施形態に係る充電システムを示す斜視図である。
【図３】脱着式ジャケットで覆われた携帯電話機を正面側から見た斜視図である。
【図４】脱着式ジャケットで覆われた携帯電話機を背面側から見た斜視図である。
【図５】携帯端末を省略した脱着式ジャケット及び充電器を示す斜視図である。
【図６】携帯端末を省略した脱着式ジャケット及び充電器を示す平面図である。
【図７】図６のVII−VII線断面図である。
【図８】図６のVIII−VIII線断面図である。
【図９】図６のIX−IX線断面図である。
【発明を実施するための形態】
【００１６】
以下、本発明の実施形態を図面に基づいて説明する。
【００１７】
図２は、本発明の実施形態に係る充電システム５０を示す斜視図である。図３は、脱着式ジャケット１０で覆われた携帯端末としての携帯電話機１を正面側から見た斜視図であり、図４は、背面側から見た斜視図である。携帯電話機１は、例えば、スマートフォンであり、正面側に表示部２を収容し、その背面側に充電池（図示せず）を内蔵する筐体３を備えている。筐体３の背面には、カメラ４が設けられ、このカメラ４の近くには、充電池に充電するための一対の充電端子５が設けられている。なお、説明の都合上、図４に示す携帯電話機１の長手方向を上下方向とし、カメラ４側を上側とし、充電端子５に近い側の側面を左側面とする。
【００１８】
そして、携帯電話機１の表示部２を除く、背面及び側面が例えば樹脂成形品よりなる脱着式ジャケット１０で覆われている。この脱着式ジャケット１０には、カメラ４を露出させるカメラ用開口１１と、充電端子５を露出させる端子露出用開口１２とが形成されている。なお、カメラ用開口１１と端子露出用開口１２とが連続した１つの開口でもよい。
【００１９】
図１は、脱着式ジャケット１０の端子露出用開口１２、リブ回避用切欠、及び充電器を拡大して示す斜視図である。図５は、携帯電話機１を省略した脱着式ジャケット１０及び充電器を示す斜視図であり、図６は、その平面図である。図７〜図９は、図６の各線に沿った断面図である。充電器２０は、携帯電話機１を充電するためのものであり、矩形板状の下部２１と、この下部２１の上方を覆い、携帯電話機１を保持する端末収容部２２を有する立体構造の上部２３とを備えている。上部２３は、台形の左右側板２３ａと、この左右側板２３ａを左右に繋ぐ上板２３ｂとを備えた樹脂成形品よりなり、端末収容部２２は、上板２３ｂの前面中間から上面中間にかけて凹陥されている。端末収容部２２の左右側面には、図示しない弾性部材で付勢された端末保持機構２４がそれぞれ配置されている。そして、携帯電話機１の背面及び背面に連続する３つの側面が端末収容部２２に当接して端末保持機構２４によって携帯電話機１が安定して保持されるように構成されている。
【００２０】
詳しくは図示しないが、下部２１には、充電装置が設けられていて、この充電装置に背面側の電線接続部２５に接続されたコンセントから電力が供給されるようになっている。充電装置は、直流に変換された電力を、例えば針金を折り曲げて形成した一対の接続端子２６に送り込むように構成されている。接続端子２６は、一端が携帯電話機１の収容時に携帯電話機１に押し下げられる当接部２７ａを有する回動式レバー２７の他端に設けられている。このことで、接続端子２６は、当接部２７ａが押し下げられるに伴って回動して携帯電話機１の充電端子５に当接して通電するように構成されている。接続端子２６は、端末収容部２２の端子用窓２２ａを通して出入りし、当接部２７ａは、端末収容部２２の当接部用窓２２ｂを通して出入りするようになっている。接続端子２６は、弾性を有し、所定の圧力で充電端子５に当接することで安定して充電できるようになっている。このように、当接部２７ａが充電のスイッチの役割も果たしている。
【００２１】
そして、端末収容部２２には、携帯電話機１の収容時に携帯電話機１に当接する姿勢保持用リブが突設されている。姿勢保持用リブは、端末収容部２２の底面に形成され、携帯電話機１の左側面及び正面の一部に当接する一対の第１姿勢保持用リブ２８と、端末収容部２２の左右側面に形成され、携帯電話機１の上下面及び背面の一部に当接する一対の第２姿勢保持用リブ２９とからなる。第１姿勢保持用リブ２８は、携帯電話機１の左側面に当接する部分と、携帯電話機１の正面側の表示部２の周縁に当接する部分とが連続した突条で構成されている。第２姿勢保持用リブ２９は、携帯電話機１の上面又は下面と背面とで構成される角部に当接するように膨出した部分で構成されている。第２姿勢保持用リブ２９は、携帯電話機１の上面又は下面と、背面との両方に当接するようにしているが、上面又は下面に当接する部分と、背面に当接する部分とを分割して設けてもよい。これら第１及び第２姿勢保持用リブ２８，２９は、周囲からの高さが脱着式ジャケット１０の厚さよりも高くなっている。
【００２２】
そして、これら第１及び第２姿勢保持用リブ２８，２９に合わせて脱着式ジャケット１０には、リブ回避用切欠がそれぞれ形成されている。具体的には、当接部２７ａ側の第１姿勢保持用リブ２８に対応させて脱着式ジャケット１０には、第１リブ回避用切欠１３が形成されている。本実施形態では、この第１リブ回避用切欠１３は、第１姿勢保持用リブ２８の部分だけでなく、当接部２７ａが携帯電話機１に当接するのを阻害しないようにするために一部が背面側へも延長して大きく切り欠かれている。この第１リブ回避用切欠１３は、当接部露出用開口を兼ねているが、当接部露出用開口が、第１リブ回避用切欠１３と分かれていてもよい。当接部２７ａと反対側（右側）の第１姿勢保持用リブ２８に対応させて脱着式ジャケット１０には第２リブ回避用切欠１４が切り欠かれている。この第２リブ回避用切欠１４は、脱着式ジャケット１０の左側面に第１姿勢保持用リブ２８よりも若干大きく矩形状に切り欠かれた切欠よりなり、第１姿勢保持用リブ２８のみを避けるようになっている。
【００２３】
そして、脱着式ジャケット１０の上面には、一方の第２姿勢保持用リブ２９を避けるための第３リブ回避用切欠１５が形成され、脱着式ジャケット１０の下面にも、他方の第２姿勢保持用リブ２９を避けるための第４リブ回避用切欠１６が形成されている。これら第３及び第４リブ回避用切欠１５，１６は、端末保持機構２４及び携帯電話機１の各種ボタンを避けるように、第２姿勢保持用リブ２９の部分だけでなく、端末保持機構２４及び各種ボタンに対応する部分が矩形状に大きく切り欠かれており、特に第２姿勢保持用リブ２９に合わせた部分は、背面側にも切欠が延びている。
【００２４】
このように構成することにより、脱着式ジャケット１０で覆われていない携帯電話機１を端末収容部２２に収容すると、携帯電話機１の背面及び側面が第１及び第２姿勢保持用リブ２８，２９に当接して安定する。同時に当接部２７ａが押されて、充電器２０のスイッチが入ると共に、接続端子２６が飛び出して充電端子５に当接し、充電が行われる。
【００２５】
一方、脱着式ジャケット１０で携帯電話機１を覆った場合でも、脱着式ジャケット１０の厚さよりも第１及び第２姿勢保持用リブ２８，２９の高さが高いので、第１〜第４リブ回避用切欠１３〜１６が、第１及び第２姿勢保持用リブ２８，２９、端末保持機構２４、当接部２７ａを避け、これらが脱着式ジャケット１０で覆っていないときと同様に携帯電話機１の背面及び側面に当接して安定する。このため、携帯電話機１の側面に脱着式ジャケット１０がないときと同様の力で押された当接部２７ａにより、接続端子２６が同じストローク（強さ）で飛び出して露出した充電端子５に当接する。このため、脱着式ジャケット１０で携帯電話機１を覆ったままでも安定して充電が行われる。
【００２６】
したがって、本実施形態に係る充電器２０を含む充電システム５０によると、脱着式ジャケット１０の有無にかかわらず、携帯電話機１を安定して保持しながら充電することができる。
【００２７】
（その他の実施形態）
本発明は、上記実施形態について、以下のような構成としてもよい。
【００２８】
すなわち、上記実施形態では、携帯端末は、携帯電話機１としたが、充電池を内蔵し、背面側に充電端子を有するものであれば、ＰＨＳ（Personal Handy-phone System ）、ＰＤＡ(Personal Digital Assistant)、パソコン、モバイルツール、電子辞書、電卓、ゲーム機等であってもよい。
【００２９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【産業上の利用可能性】
【００３０】
以上説明したように、本発明は、携帯端末を充電するための充電器及びそれを含む充電システムについて有用である。
【符号の説明】
【００３１】
１      携帯電話機（携帯端末）
２      表示部
３      筐体
４      カメラ
５      充電端子
１０      脱着式ジャケット
１１      カメラ用開口
１２      端子露出用開口
１３      第１リブ回避用切欠（当接部露出用開口）
１４      第２リブ回避用切欠
１５      第３リブ回避用切欠
１６      第４リブ回避用切欠
２０      充電器
２１      下部
２２      端末収容部
２２ａ    端子用窓
２２ｂ    当接部用窓
２３      上部
２３ａ    左右側板
２３ｂ    上板
２４      端末保持機構
２５      電線接続部
２６      接続端子
２７      回動式レバー
２７ａ    当接部
２８      第１姿勢保持用リブ
２９      第２姿勢保持用リブ
５０      充電システム
【図１】
2014068475.tif 000003
【図２】
2014068475.tif 000004
【図３】
2014068475.tif 000005
【図４】
2014068475.tif 000006
【図５】
2014068475.tif 000007
【図６】
2014068475.tif 000008
【図７】
2014068475.tif 000009
【図８】
2014068475.tif 000010
【図９】
2014068475.tif 000011